(57)【要約】【課題】自宅において自分自身で基本的動作の回復を図るための治療体操・運動が行える安価な手指関節リハビリ装置を提供する。【解決手段】圧縮空気を送り出すコンプレッサー１１と、コンプレッサー１１に一端が連結されたチューブ１２と、チューブ１２の他端が連結され、通気口が、押圧されると開き、押圧が解かれると閉じる、切換バルブ１３と、切換バルブ１３に一端が連結されたチューブ１４と、チューブ１４の他端が連結されたＹ型ジョイント１５と、空気を注入又は排出可能な針１６ａを有し、針１６ａに一端が連結され、Ｙ型ジョイント１５に他端が連結されたチューブ１６と、Ｙ型ジョイント１５に一端が連結されたチューブ１７と、チューブ１７の他端が連結され、通気口が、押圧されると開き、押圧が解かれると閉じる、切換バルブ１８と、針１６ａと係合する針穴２１ａを有し、針穴２１ａを介して収縮した際に患者の掌に収まるボール２１とを備える。【選択図】図１
0003229738.tif 000002
【実用新案登録請求の範囲】
【請求項１】
脳梗塞などの中枢神経障害により手指が麻痺して拘縮してしまった患者の手指の関節運動を支援するための手指関節リハビリ装置であって、
圧縮空気を送り出すコンプレッサーと、
前記コンプレッサーに一端が連結された第一のチューブと、
前記第一のチューブの他端が連結され、通気口が、押圧されると開き、押圧が解かれると閉じる、前記患者の足元に設置する第一の切換バルブと、
前記第一の切換バルブに一端が連結された第二のチューブと、
前記第二のチューブの他端が連結されたＹ型ジョイントと、
空気を注入又は排出可能な針を有し、該針に一端が連結され、前記Ｙ型ジョイントに他端が連結された第三のチューブと、
前記Ｙ型ジョイントに一端が連結された第四のチューブと、
前記第四のチューブの他端が連結され、通気口が、押圧されると開き、押圧が解かれると閉じる、前記患者の足元に設置する第二の切換バルブと、
前記針と係合する針穴を有し、該針穴を介して収縮した際に前記患者の掌に収まるボールとを備えることを特徴とする手指関節リハビリ装置。
【請求項２】
請求項1に記載の手指関節リハビリ装置であって、さらに、
２枚の板状物と、該２枚の板状物を、設置面に対して該２枚の板状物が略平行となるよう支持する支持部と、前記２枚の板状物の面間隔を調整する面間隔調整部とが設けられた構造体を備えることを特徴とする手指関節リハビリ装置。
【考案の詳細な説明】
【技術分野】
【０００１】
本考案は、手指の関節の伸展運動を補助し、拘縮した手指の関節機能の回復を支援する手指関節リハビリ装置に関する。
【背景技術】
【０００２】
従来から、リハビリテーションに用いられる様々な装置が登場している。こうした装置の中には、理学療法士等に代って、患者の基本的動作の回復を図るための治療体操・運動を支援するものがある。
【０００３】
かかる患者の運動を支援する装置の一つとして、脳梗塞などの中枢神経障害により手指が麻痺して拘縮してしまった場合等に、手指の関節運動を支援する装置があり、その一例として、特許文献１に開示された技術が知られている。
【０００４】
この技術は、蛇腹構造を持った伸縮管の先端部に配置されるキャップ部の凹部に指先を挿入すると共に、該伸縮管の側面に配置された挟持部の一対の固定片を弾性変形させて固定片間のスペースに手指の外周を挿入し、固定片の弾性力の付勢によって手指の外周を挟持すれば装着できるように構成されている。この技術によれば、手指を硬く握り込んだままの状態で拘縮した患者であっても容易に装着できるとされている。
【先行技術文献】
【特許文献】
【０００５】
【特許文献１】特開２０１６−１５９０４９号公報
【考案の概要】
【考案が解決しようとする課題】
【０００６】
しかしながら、特許文献１に例示される従来の手指関節リハビリ装置は、理学療法士等が、患者に対して、蛇腹構造を持った伸縮管を手指に装着し、操作することを前提としており、患者自身が、伸縮管を手指に装着し、操作するのは困難であった。
【０００７】
また患者は、手指の拘縮の程度は様々であるところ、自宅において自分自身で簡易にリハビリを行いたいと考えても、従来の手指関節リハビリ装置は、部品点数が多く構造が複雑であるため、高価にならざるを得ず、自宅でのリハビリを断念せざるを得ないケースもあった。
【０００８】
本考案は、前記事情に鑑みてなされたものであり、脳梗塞などの中枢神経障害により手指が麻痺して拘縮してしまった患者が、自宅において自分自身で基本的動作の回復を図るための治療体操・運動が行える安価な手指関節リハビリ装置を提供することを主な目的とする。
【課題を解決するための手段】
【０００９】
本考案の第１の側面に係る手指関節リハビリ装置は、脳梗塞などの中枢神経障害により手指が麻痺して拘縮してしまった患者の手指の関節運動を支援するための手指関節リハビリ装置であって、圧縮空気を送り出すコンプレッサーと、前記コンプレッサーに一端が連結された第一のチューブと、前記第一のチューブの他端が連結され、通気口が、押圧されると開き、押圧が解かれると閉じる、前記患者の足元に設置する第一の切換バルブと、前記第一の切換バルブに一端が連結された第二のチューブと、前記第二のチューブの他端が連結されたＹ型ジョイントと、空気を注入又は排出可能な針を有し、該針に一端が連結され、前記Ｙ型ジョイントに他端が連結された第三のチューブと、前記Ｙ型ジョイントに一端が連結された第四のチューブと、前記第四のチューブの他端が連結され、通気口が、押圧されると開き、押圧が解かれると閉じる、前記患者の足元に設置する第二の切換バルブと、前記針と係合する針穴を有し、該針穴を介して収縮した際に前記患者の掌に収まるボールとを備えるように構成する。
【００１０】
前記構成により、患者は、収縮したボールを握りながら足元の第一の切換バルブを踏むことで、ボールが膨らみ、その動きに伴って手指を開かせることができ、また、膨張したボールを強く握りながら足元の第二の切換バルブを踏むことで、ボール内の空気が抜けてボールが収縮し、その動きに伴って手指を閉じさせることができる。これによって、脳梗塞などの中枢神経障害は、左右のいずれか一方の手指の拘縮として発現し、他方の手指は拘縮していないことが多いところ、患者は、蛇腹構造を持った伸縮管を手指に装着するのではなく、収縮して小さくなったボールを握れることができれば、後は足で行う操作で足りるので、患者は、回復がある程度進んだ段階では、自分自身で他方の手を使いながら、自分自身でリハビリを行うことができる。
【００１１】
また、前記構成によれば、構造が単純で部品点数が少なく製造コストが低くなり、個人でも購入できる安価な価格にできるため、患者は、自分自身で購入して、自宅でリハビリを行うことができる。
【００１２】
本考案の第２の側面に係る手指関節リハビリ装置は、さらに、２枚の板状物と、該２枚の板状物を、設置面に対して該２枚の板状物が略平行となるよう支持する支持部と、前記２枚の板状物の面間隔を調整する面間隔調整部とが設けられた構造体を備えるように構成する。
【００１３】
前記構成により、患者は、２枚の板状物のうち下側の板状物の上に掌を下にして手を置き、手の甲と上側の板状物との間にボールを配置し、その後、第一の切換バルブを踏み、ボールを膨らませることで、広げた状態の手を手の甲側から押圧することができる。また、２枚の板状物の面間隔は調整できるので、患者は、自分自身で、手のサイズに合わせて２枚の板状物の面間隔を調整した上で、手指の関節に対して、ボールを握った際の刺激とは異なる刺激を与えることができる。
【考案の効果】
【００１４】
本考案によれば、脳梗塞などの中枢神経障害により手指が麻痺して拘縮してしまった患者が、自宅において自分自身で基本的動作の回復を図るための治療体操・運動が行える安価な手指関節リハビリ装置を提供することができる。
【図面の簡単な説明】
【００１５】
【図１】本考案の一実施形態に係る手指関節リハビリ装置の模式図である。
【図２】本考案の一実施形態に係る構造体の模式図であって、（Ａ）平面図、（Ｂ）正面図である。
【図３】本考案の一実施形態に係る構造体の模式図であって、（Ｃ）側面図である。
【考案を実施するための形態】
【００１６】
以下、本考案の実施の形態を図面に基づいて説明する。ただし、以下に示す実施の形態は、本考案の技術思想を具体化するための手指関節リハビリ装置を例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。
（手指関節リハビリ装置１）
【００１７】
手指関節リハビリ装置１は、図１に示すように、圧縮空気を送り出すコンプレッサー１１と、コンプレッサー１１に一端が連結されたチューブ１２（実用新案登録請求の範囲における「第一のチューブ」の一例に対応している。）と、チューブ１２の他端が連結され、通気口が、押圧されると開き、押圧が解かれると閉じる、患者の足元に設置する切換バルブ１３（実用新案登録請求の範囲における「第一の切換バルブ」の一例に対応している。）と、切換バルブ１３に一端が連結されたチューブ１４（実用新案登録請求の範囲における「第二のチューブ」の一例に対応している。）と、チューブ１４の他端が連結されたＹ型ジョイント１５と、空気を注入又は排出可能な針１６ａを有し、該針１６ａに一端が連結され、Ｙ型ジョイント１５に他端が連結されたチューブ１６（実用新案登録請求の範囲における「第三のチューブ」の一例に対応している。）と、Ｙ型ジョイント１５に一端が連結されたチューブ１７（実用新案登録請求の範囲における「第四のチューブ」の一例に対応している。）と、チューブ１７の他端が連結され、通気口が、押圧されると開き、押圧が解かれると閉じる、患者の足元に設置する切換バルブ１８（実用新案登録請求の範囲における「第二の切換バルブ」の一例に対応している。）と、針１６ａと係合する針穴２１ａを有し、該針穴２１ａを介して収縮した際に患者の掌に収まるボール２１とを主として備えている。
【００１８】
また、手指関節リハビリ装置１は、図２及び図３に示すように、２枚の板状物３２と、２枚の板状物３２を、設置面（図示していない）に対して、２枚の板状物３２が略平行となるよう支持する支持部３３と、２枚の板状物３２の面間隔を調整する面間隔調整部３４とが設けられた構造体３１を備えている。
（コンプレッサー１１）
【００１９】
コンプレッサー１１は、ボール２１を膨らませるための圧縮空気を送り出すための部材である。図示していない切換バルブによって駆動するようになっている。出力口にはチューブ１２が連結されている。
（切換バルブ１３）
【００２０】
切換バルブ１３は、通常（押圧されていない状態）は通気口が閉じており、患者の足元に設置され、患者が踏むことによって押圧されると通気口が開き、患者が足を外して押圧が解かれると通気口が閉じるようになっている。コンプレッサー１１によって押し出された圧縮空気は、通常は切換バルブ１３の通気口が閉じているため、切換バルブ１３で遮断されている。
（Ｙ型ジョイント１５）
【００２１】
Ｙ型ジョイント１５は、連結されたチューブ１４を介して切換バルブ１３から送り出された圧縮空気を、連結されたチューブ１６を介してボール２１に送り出すための部材である。また、Ｙ型ジョイント１５は、ボール２１の内部の空気を、連結されたチューブ１６及び連結されたチューブ１７を介して、外部に排出するための部材でもある。
（チューブ１６）
【００２２】
チューブ１６の一端はＹ型ジョイント１５に連結されており、他端には針１６ａが連結されている。針１６ａの先部には空気穴（図示していない）が設けられており、空気穴を介して空気を注入又は排出可能になっている。針１６ａは、後述するボール２１の針穴２１ａに挿入できるように構成されており、先部に設けられた空気穴を介して、ボール２１に圧縮空気を注入、又は、ボール２１から空気を排出する。
（切換バルブ１８）
【００２３】
切換バルブ１８は、通常（押圧されていない状態）は通気口が閉じており、患者の足元に設置され、患者が踏むことによって押圧されると通気口が開き、患者が足を外して押圧が解かれると通気口が閉じるようになっている。ボール２１の空気は、通常は切換バルブ１８の通気口が閉じているため、切換バルブ１８で遮断されている。切換バルブ１３の通気口が閉じた状態で、患者が切換バルブ１８を踏むと、ボール２１の内部の空気は、チューブ１６及びＹ型ジョイント１５並びにチューブ１７、切換バルブ１８を介して、外部に注入される。
（構造体３１）
【００２４】
構造体３１は、手指関節リハビリ装置１を使用して、広げた状態の手に対して手の甲側から押圧するのを補助するための部材である。図２及び図３に示すように、支持部３３は、４本の寸切りボルト３３ｂと、四隅に配された寸切りボルト３３ｂに、下部において、丸頭ノブ３３ｆとナット３３ｅとで固設した１枚の板状物３３ａとからなる。２枚の板状物３２のうち１枚の板状物３２ａは、支持部３３の上部において、丸頭ノブ３３ｃとナット３３ｄとで固設されており、残りの１枚の板状物３２ｂは、上部に設けられた板状物３２ａと下部に設けられた板状物３３ａとの間に配されている。面間隔調整部３４は、寸切りボルト３３ｂとナット３４ａとナット３４ｂとからなり、寸切りボルト３３ｂにおいて、板状物３２ｂを上下からナット３４ａとナット３４ｂとでネジ回しによって挟み込む構造となっている。面間隔調整部３４にて板状物３２ｂの位置を変えるには、ナット３４ａ及びナット３４ｂのネジ回しを緩め、板状物３２ｂの位置を変えた後、再びナット３４ａとナット３４ｂとでネジ回しによって挟み込むようにする。
（手指関節リハビリ装置１の動作）
【００２５】
図１を参照しながら、手指関節リハビリ装置１の動作について説明する。チューブ１６の針１６ａは針穴２１ａを介してボール２１に挿入されているものとする。コンプレッサー１１は、電源（図示していない）を入れると、出力口を介して圧縮空気を送り出す。出力口から送り出された圧縮空気は、切換バルブ１３が患者によって踏まれていなければ、切換バルブ１３によって遮断されることになり、切換バルブ１３が患者によって踏まれていれば、チューブ１４、Ｙ型ジョイント１５、及び、チューブ１６を介して、ボール２１の内部に送り出される。
【００２６】
次いで、切換バルブ１３が踏まれていない状態（通気口が閉じた状態）で切換バルブ１８が患者によって踏まれると、切換バルブ１８の通気口が解放されるため、患者がボール２１を握ると、ボール２１から押し出された空気は、チューブ１６、Ｙ型ジョイント１５、及び、切換バルブ１８を介して、外部へ送り出される。
（手指関節リハビリ装置１の使用方法）
【００２７】
患者は、コンプレッサー１１の電源（図示していない）を入れ、コンプレッサー１１を稼働させる。この際、切換バルブ１３及び切換バルブ１８を踏んでいなければ、コンプレッサー１１から送り出される圧縮空気は切換バルブ１３にて遮断されている。患者は、ボール２１が膨らんだ状態であれば、手指の拘縮が生じていない方の手でボール２１を握って収縮させておく。そして、患者は、チューブ１６の針１６ａをボール２１に挿入する。
【００２８】
患者は、手指の拘縮が生じていない方の手を使い、手指の拘縮が生じている手の内側にボール２１を収めて握る。
【００２９】
次いで、患者は、足元に設置された切換バルブ１３を踏むと、ボール２１が膨張し、その動きに伴って、拘縮が生じている手指を広げることができる。
【００３０】
続いて、患者は、足元に設置された切換バルブ１３から足を外して、足元に設置された切換バルブ１８を踏むと、ボール２１の空気が外部に排出されるので、容易にボール２１が握れるようになり、ボール２１の収縮の動きに伴って、拘縮が生じている手指を窄めることができる。
（構造体３１の使用方法）
【００３１】
構造体３１は、手指の拘縮が生じている手を広げることができる場合に使用する器具であり、患者の回復の進捗に応じて使用することになる。
【００３２】
患者は、構造体３１をテーブルや机に設置して、構造体３１の板状物３２ｂの上に、手指の拘縮が生じている手を広げて、掌が板状物３２ｂと向き合うようにして手を置く。
【００３３】
次いで、患者は、手指の拘縮が生じていない方の手を使い、手指の拘縮が生じている手の甲の上に収縮したボール２１を置く。
【００３４】
患者は、手指関節リハビリ装置１を稼働させて、板状物３２ａと手との間でボール２１を膨らませると、ボール２１を介して、手指の拘縮が生じている手を手の甲側から押圧させることができる。なお、板状物３２ｂは、中央部に穴を設けておくと、手の甲側から押圧された際に手指がより広がりやすくなるため、好適である。
【００３５】
板状物３２ａと板状物３２ｂの面間隔は調整できるので、患者は、予め、手のサイズに合わせて板状物３２ａと板状物３２ｂの面間隔を調整しておく。この調整作業については、患者以外の別の者に頼むようにしてもよい。
【００３６】
以上説明したように、手指関節リハビリ装置１によれば、患者は、収縮したボール２１を握りながら足元の切換バルブ１３を踏むことで、ボール２１が膨らみ、その動きに伴って拘縮が生じている手指を開かせることができ、また、膨張したボール２１を強く握りながら足元の切換バルブ１８を踏むことで、ボール２１内の空気が抜けてボール２１が収縮し、その動きに伴って拘縮が生じている手指を閉じさせることができる。これによって、脳梗塞などの中枢神経障害は、左右のいずれか一方の手指の拘縮として発現し、他方の手指は拘縮していないことが多いところ、患者は、蛇腹構造を持った伸縮管を手指に装着するのではなく、収縮して小さくなったボールを握れることができれば、後は足で行う操作で足りるので、患者は、回復がある程度進んだ段階では、自分自身で他方の手を使いながら、自分自身でリハビリを行うことができる。
【００３７】
また、手指関節リハビリ装置１によれば、患者は、構造体３１を使用して、板状物３２ｂの上に掌を下にして拘縮が生じている手を置き、手の甲と板状物３２ａとの間にボール２１を配置し、その後、切換バルブ１３を踏み、ボール２１を膨らませることで、広げた状態の拘縮が生じている手を手の甲側から押圧することができる。
【産業上の利用可能性】
【００３８】
本実施形態に係る手指関節リハビリ装置１は、脳梗塞などの中枢神経障害により手指が麻痺して拘縮してしまった患者が、自宅において自分自身で基本的動作の回復を図るための治療体操・運動を行う用途に好適に利用できる。
【符号の説明】
【００３９】
１…手指関節リハビリ装置
１１…コンプレッサー
１２…チューブ
１３…切換バルブ
１４…チューブ
１５…Ｙ型ジョイント
１６…チューブ；１６ａ…針
１７…チューブ
１８…切換バルブ
２１…ボール；２１ａ    針穴
３１…構造体
３２…板状物；３２ａ…板状物；３２ｂ…板状物
３３…支持部；３３ａ…板状物；３３ｂ…寸切りボルト；３３ｃ…丸頭ノブ；３３ｄ…ナット；３３ｅ…ナット；３３ｆ…丸頭ノブ
３４…面間隔調整部；３４ａ…ナット；３４ｂ…ナット
【図１】
0003229738.tif 000003
【図２】
0003229738.tif 000004
【図３】
0003229738.tif 000005